(57)【要約】      （修正有）【課題】投稿者によって撮像された画像情報に容易にかつ迅速に投稿可能とする。【解決手段】投稿情報をサーバに送信する端末装置の制御部１７０は、現在位置取得部より取得された現在位置情報をＳＮＳサーバへ送信する位置情報送信部１７２と、スマートフォンの現在位置周辺にある施設を投稿者に提示する周辺施設提示手段１７４と、提示された複数の周辺施設から特定の施設を選択する施設選択手段１７６と、施設が選択されたとき、当該施設の施設情報をＳＮＳサーバから取得する施設情報取得手段１７８と、施設の選択後、撮像部により撮像された画像を記憶する画像記憶手段１８０と、撮像された画像に撮像情報を付加する撮像情報付加手段１８２と、撮像情報が付加された画像に基づき投稿情報を作成する投稿情報作成手段１８４と、作成された投稿情報をＳＮＳサーバに送信する投稿情報送信手段１８６とを備えている。【選択図】図５
2015018421.tif 000002
【特許請求の範囲】
【請求項１】
ネットワークを介して投稿情報を投稿可能な端末装置であって、
施設を選択する選択手段と、
前記選択手段により施設が選択されたとき、選択された施設に対応する施設情報をネットワークを介して取得する施設情報取得手段と、
撮像手段と、
前記撮像手段による撮像が行われたとき、撮像された画像データに少なくとも一部が前記施設情報から抽出された撮像情報を付加する付加手段と、
を有する、端末装置。
【請求項２】
端末装置はさらに、前記撮像手段による撮像が行われたとき、前記撮像情報が付加された画像データを投稿情報としてネットワークを介して送信する送信手段を含む、請求項１に記載の端末装置。
【請求項３】
端末装置はさらに、前記施設情報取得手段によって取得された施設情報を表示する表示手段を含み、前記表示手段には、前記撮像手段の撮像を実行させるための撮像ボタンが含まれる、請求項１または２に記載の端末装置。
【請求項４】
前記付加手段は、予め決められた条件に従い前記撮像情報を抽出する、請求項１に記載の端末装置。
【請求項５】
端末装置はさらに、現在位置情報を取得する位置情報取得手段と、前記現在位置情報に基づき周辺施設を提示する周辺施設提示手段とを含み、前記選択手段は、前記周辺施設提示手段によって提示された周辺施設の中から施設を選択する、請求項１または２に記載の端末装置。
【請求項６】
前記周辺施設提示手段は、周辺施設を含むチェックイン画面を提示する、請求項５に記載の端末装置。
【請求項７】
前記選択手段は、前記位置情報取得手段による現在位置情報に基づき前記施設の選択を解除する選択解除手段を含み、前記表示手段は、施設の選択が解除されたとき、前記施設情報の表示を停止する、請求項３に記載の端末装置。
【請求項８】
前記選択手段は、始端と終端を含む道路を施設として選択する、請求項１に記載の端末装置。
【請求項９】
前記選択手段は、目的地に設定された施設に到着したとき、前記施設を選択する、請求項１に記載の端末装置。
【請求項１０】
前記付加手段は、投稿者の識別情報を前記撮像情報として画像データに付加する、請求項１に記載の端末装置。
【請求項１１】
前記付加手段は、投稿者の識別情報を非公表とする閲覧制限情報を付加する、請求項１０に記載の端末情報。
【請求項１２】
サーバに投稿情報を送信する投稿情報送信方法であって、
施設を選択するステップと、
施設が選択されたとき、前記サーバから前記施設に対応する施設情報を取得するステップと、
撮像手段による撮像が行われたとき、撮像された画像データに少なくとも一部が前記施設情報から抽出された撮像情報を付加するステップと、
前記撮像情報が付加された画像データを投稿情報としてサーバに送信するステップと、
を有する投稿情報送信方法。
【請求項１３】
投稿情報送信方法はさらに、前記施設情報を表示するステップを含み、前記表示された施設情報には、前記撮像手段の撮像を実行させるための撮像ボタンが含まれる、請求項１２に記載の投稿情報送信方法。
【請求項１４】
投稿情報送信方法はさらに、現在位置情報を取得するステップと、前記現在位置情報に基づき周辺施設を提示するステップとを含み、前記選択するステップは、前記周辺施設を提示するステップによって提示された周辺施設の中から施設を選択する、請求項１３に記載の投稿情報送信方法。
【請求項１５】
前記選択するステップは、始端と終端を含む道路を施設として選択する、請求項１２に記載の投稿情報送信方法。
【請求項１６】
サーバに投稿情報を送信する端末装置により実行される投稿情報送信プログラムであって、
施設を選択するステップと、
施設が選択されたとき、前記サーバから前記施設に対応する施設情報を取得するステップと、
撮像手段による撮像が行われたとき、撮像された画像データに少なくとも一部が前記施設情報から抽出された撮像情報を付加するステップと、
前記撮像情報が付加された画像データを投稿情報としてサーバに送信するステップと、
を有する投稿情報送信プログラム。
【請求項１７】
投稿情報送信プログラムはさらに、前記施設情報を表示するステップを含み、前記表示された施設情報には、前記撮像手段の撮像を実行させるための撮像ボタンが含まれる、請求項１６に記載の投稿情報送信プログラム。
【請求項１８】
投稿情報送信プログラムはさらに、現在位置情報を取得するステップと、前記現在位置情報に基づき周辺施設を提示するステップとを含み、前記選択するステップは、前記周辺施設を提示するステップによって提示された周辺施設の中から施設を選択する、請求項１７に記載の投稿情報送信プログラム。
【請求項１９】
前記選択するステップは、始端と終端を含む道路を施設として選択する、請求項１８に記載の投稿情報送信プログラム。
【請求項２０】
投稿情報をサーバに送信する端末装置と、前記端末装置から送信される投稿情報を蓄積するサーバとを含む、投稿情報共有システムであって、
前記端末装置は、
施設を選択する選択手段と、
施設が選択されたとき、前記サーバから前記施設に対応する施設情報を取得する施設情報取得手段と、
撮像手段と、
前記撮像手段による撮像が行われたとき、撮像された画像データに少なくとも一部が前記施設情報から抽出された画像データを付加する付加手段とを有し、
前記サーバは、
投稿された投稿情報に基づき、前記画像データを閲覧可能にする、投稿情報共有システム。
【請求項２１】
端末装置はさらに、前記撮像手段による撮像が行われたとき、前記撮像情報が付加された画像データを投稿情報としてサーバに送信する送信手段を含む、請求項２０に記載の投稿情報共有システム。
【請求項２２】
サーバはさらに、端末装置の現在位置情報に基づき周辺施設を検索し、検索された周辺施設を含む周辺施設情報を端末装置へ送信し、端末装置は、前記周辺施設情報を含むチェックイン画面を表示し、前記選択手段は、前記チェックイン画面から施設を選択する、請求項２０に記載の投稿情報共有システム。
【請求項２３】
前記選択手段は、始端と終端を含む道路を施設として選択する、請求項２０に記載の投稿情報共有システム。
【発明の詳細な説明】
【技術分野】
【０００１】
本発明は、投稿者から投稿される画像情報をサーバに送信する端末装置に関し、特に、画像情報をサーバにアップロードする技術に関する。
【背景技術】
【０００２】
スマートフォンに代表される携帯型多機能端末等の通信を利用した種々のサービスが展開されている。その中で、近年特に、ツイッター（登録商標）、Ｆａｃｅｂｏｏｋ（登録商標）などのソーシャル・ネットワーキング・サービス（以下、ＳＮＳ）が普及している。ＳＮＳでは、ユーザーは、スマートフォンや携帯電話、パーソナルコンピュータ（以下、ＰＣ）などを用いて様々な情報を投稿し、投稿された情報をＳＮＳサーバに蓄積し、ＳＮＳサーバに蓄積された情報はユーザーによって閲覧することができる。ユーザーは、投稿する際に、投稿した位置と投稿内容を対応付けることができ、ＳＮＳサーバには、投稿者を識別するアカウント、投稿日時、投稿した位置を示す位置情報、および投稿内容などを含む投稿情報が蓄積される。
【０００３】
例えば、特許文献１には、ネットワークを介して提供される店舗などの位置情報の信頼性を高めると共に、ネットワークを介して店舗などの検索精度を高める店舗情報提供装置が開示されている。
【先行技術文献】
【特許文献】
【０００４】
【特許文献１】特開２０１２−６３９００号公報
【発明の概要】
【発明が解決しようとする課題】
【０００５】
ＳＮＳサーバ等を利用する画像情報共有システムでは、複数の投稿者により画像情報が投稿されると、ＳＮＳサーバは、アカウントや画像情報に付加された位置情報に基づき、例えば、店舗などの施設用サイトに画像情報を掲載し、多数の閲覧者は、ＳＮＳサーバ上にある施設用サイトにアクセスし、投稿された画像情報を閲覧することができる。
【０００６】
図１０は、従来の画像情報共有システムを説明する図である。同図に示すように、ある店舗において、投稿者がカメラ機能付きの端末装置４００で写真を撮影し、これをＳＮＳサーバ４１０に投稿する場合、投稿者は、端末装置４００の情報入力画面４２０において、例えば、店舗名、タイトル、住所、カテゴリーなど、写真情報４３０をマニュアルで入力し、画像情報４４０をＳＮＳサーバ４１０にアップロードしなければならなかった。前述したようにＳＮＳサーバ４１０への情報の投稿は、投稿者にとって負担が大きく、煩雑な作業でもある。さらに写真情報４３０の入力には、時間を要し、投稿者は、撮影した写真をすぐに投稿することができないという課題がある。
【０００７】
また、ＳＮＳサーバ４１０は、写真情報４３０に基づき投稿する店舗アルバム４５０を判別し、施設用サイトの店舗アルバム４５０に投稿された画像情報４４０を掲載することで、画像情報４４０を閲覧可能な状態にする。しかしながら、投稿者が画像情報４４０をすぐに投稿しなければ、閲覧者は、リアルタイムに画像情報４４０を閲覧することができないという課題もあった。
【０００８】
本発明は、このような従来の課題を解決し、投稿者によって撮像された画像情報に容易にかつ迅速に投稿することができる、端末装置、投稿情報送信方法、投稿情報送信プログラムおよび投稿情報共有システムを提供することを目的とする。
【課題を解決するための手段】
【０００９】
本発明に係る端末装置は、施設を選択する選択手段と、前記選択手段により施設が選択されたとき、選択された施設に対応する施設情報をネットワークを介して取得する施設情報取得手段と、撮像手段と、前記撮像手段による撮像が行われたとき、撮像された画像データに少なくとも一部が前記施設情報から抽出された撮像情報を付加する付加手段とを有し、ネットワークを介して投稿情報を投稿することができる。
【００１０】
好ましくは、前記周辺施設提示手段は、周辺施設を含むチェックイン画面を提示する。前記選択手段は、前記位置情報取得手段による現在位置情報に基づき前記施設の選択を解除する選択解除手段を含み、前記表示手段は、施設の選択が解除されたとき、前記施設情報の表示を停止する。
【００１１】
好ましくは、前記選択手段は、始端と終端を含む道路を施設として選択する。前記選択手段は、目的地に設定された施設に到着したとき、前記施設を選択する。前記付加手段は、投稿者の識別情報を前記撮像情報として画像データに付加する。前記付加手段は、投稿者の識別情報を非公表とする閲覧制限情報を付加する。
【００１２】
好ましくは、端末装置はさらに、前記撮像手段による撮像が行われたとき、前記撮像情報が付加された画像データを投稿情報としてネットワークを介して送信する送信手段を含む。また、端末装置はさらに、前記施設情報取得手段によって取得された施設情報を表示する表示手段を含み、前記表示手段には、前記撮像手段の撮像を実行させるための撮像ボタンが含まれる。
【００１３】
好ましくは、前記付加手段は、予め決められた条件に従い前記撮像情報を抽出する。端末装置はさらに、現在位置情報を取得する位置情報取得手段と、前記現在位置情報に基づき周辺施設を提示する周辺施設提示手段とを含み、前記選択手段は、前記周辺施設提示手段によって提示された周辺施設の中から施設を選択する。
【００１４】
本発明に係る投稿情報送信方法は、施設を選択するステップと、施設が選択されたとき、前記サーバから前記施設に対応する施設情報を取得するステップと、撮像手段による撮像が行われたとき、撮像された画像データに少なくとも一部が前記施設情報から抽出された撮像情報を付加するステップと、前記撮像情報が付加された画像データを投稿情報としてサーバに送信するステップとを有し、サーバに投稿情報を送信する。
【００１５】
好ましくは、投稿情報送信方法はさらに、前記施設情報を表示するステップを含み、前記表示された施設情報には、前記撮像手段の撮像を実行させるための撮像ボタンが含まれる。投稿情報送信方法はさらに、現在位置情報を取得するステップと、前記現在位置情報に基づき周辺施設を提示するステップとを含み、前記選択するステップは、前記周辺施設を提示するステップによって提示された周辺施設の中から施設を選択する。前記選択するステップは、始端と終端を含む道路を施設として選択する。
【００１６】
本発明にかかる投稿情報送信プログラムは、施設を選択するステップと、施設が選択されたとき、前記サーバから前記施設に対応する施設情報を取得するステップと、撮像手段による撮像が行われたとき、撮像された画像データに少なくとも一部が前記施設情報から抽出された撮像情報を付加するステップと、前記撮像情報が付加された画像データを投稿情報としてサーバに送信するステップとを有し、サーバに投稿情報を送信する端末装置により実行される。
【００１７】
好ましくは、投稿情報送信プログラムはさらに、前記施設情報を表示するステップを含み、前記表示された施設情報には、前記撮像手段の撮像を実行させるための撮像ボタンが含まれる。投稿情報送信プログラムはさらに、現在位置情報を取得するステップと、前記現在位置情報に基づき周辺施設を提示するステップとを含み、前記選択するステップは、前記周辺施設を提示するステップによって提示された周辺施設の中から施設を選択する。前記選択するステップは、始端と終端を含む道路を施設として選択する。
【００１８】
本発明に係る投稿情報共有システムは、投稿情報をサーバに送信する端末装置と、前記端末装置から送信される投稿情報を蓄積するサーバとを含み、前記端末装置は、施設を選択する選択手段と、施設が選択されたとき、前記サーバから前記施設に対応する施設情報を取得する施設情報取得手段と、撮像手段と、前記撮像手段による撮像が行われたとき、撮像された画像データに少なくとも一部が前記施設情報から抽出された画像データを付加する付加手段とを有し、前記サーバは、投稿された投稿情報に基づき、前記画像データを閲覧可能にする
【００１９】
好ましくは、端末装置はさらに、前記撮像手段による撮像が行われたとき、前記撮像情報が付加された画像データを投稿情報としてサーバに送信する送信手段を含む。サーバはさらに、端末装置の現在位置情報に基づき周辺施設を検索し、検索された周辺施設を含む周辺施設情報を端末装置へ送信し、端末装置は、前記周辺施設情報を含むチェックイン画面を表示し、前記選択手段は、前記チェックイン画面から施設を選択する。前記選択手段は、始端と終端を含む道路を施設として選択する。
【発明の効果】
【００２０】
本発明によれば、撮像手段による撮像が行われたとき、撮像された画像データに撮像情報が付加されるため、投稿者による煩雑な情報入力操作を省くことができ、撮像とほぼ同時に画像データを投稿することができる。
【図面の簡単な説明】
【００２１】
【図１】本発明の実施例に係る投稿情報の共有システムの利用態様の一例を示す図である。
【図２】本発明の実施例に係る投稿情報の共有システムの構成例を示す図である。
【図３】本実施例の投稿情報の共有システムの内部構成の一例を示す図である。
【図４】本実施例のスマートフォンによる画像情報の投稿を説明する概略図である。
【図５】実施例に係るスマートフォンの制御部１７０の機能ブロック図を示す。
【図６】投稿情報の一例を示す図である
【図７】本実施例に係る投稿情報の投稿動作を説明するフローチャートである。
【図８】本実施例に係るＳＮＳサーバの制御部２３０の機能ブロック図である。
【図９】投稿情報のデータベースの一例である。
【図１０】画像情報共有システムについて説明する図である。
【発明を実施するための形態】
【００２２】
次に、本発明の実施の形態について図面を参照して詳細に説明する。本発明に係る端末装置は、スマートフォン（多機能型携帯電話）、携帯電話、ノート型ＰＣ、タブレット型ＰＣ、パーソナルコンピュータ、その他の通信機能を備えた電子装置であることができ、端末装置は、写真または映像を撮影するためのカメラ機能、通信機能を利用してネットワークを介してサーバに画像情報などを送信する投稿機能を備えている。また、本発明の端末装置は、ユーザーが歩行中に使用したり、車両等の移動体内で使用するものであってもよく、後者の場合、端末装置は、移動体内に設置された車載機器と連携することが可能である。さらに本発明の端末装置は、投稿情報を送信する機能以外に、投稿情報を表示する機能、ナビゲーション機能、オーディオ・ビデオデータを再生する機能、テレビ・ラジオ放送を受信する機能などを備えることも可能である。
【００２３】
本発明の投稿情報の共有システムで利用されるサーバは、インターネット、イントラネット等のネットワーク上に接続され、投稿者から投稿された投稿情報をデータベース化して記憶装置に蓄積し、サーバにアクセスしたユーザーに投稿情報を閲覧させる。ある態様では、投稿者は、予め決められた人物あるいは著名人であり、これらの著名人による投稿情報を、ユーザーに配信する。著名人は、全国または特定の地域に在住する有名人、特定の年齢層の人物、特定のことに専門性をもつ人物、全国または特定の地域で人気のある人物などである。他の態様では、投稿者は、必ずしもこのような著名人に限られず、一般人であってもよく、そのような一般人が投稿した情報を、ユーザーに配信する。
【００２４】
投稿者によって投稿される写真や動画の画像情報のフォーマット等は任意であるが、好ましい態様では、画像情報には、撮像された施設の施設情報、撮像された日時、投稿者を識別する識別情報、閲覧に関する制限を規定する閲覧制限情報などが付加される。また、投稿者を識別する識別情報は、投稿者ＩＤや投稿者が使用する端末ＩＤに限られず、投稿者を示す画像であってもよい。
【００２５】
以下の実施例では、投稿者が施設の写真または動画を撮像し、これをネットワークを介してサーバに投稿する例を説明するが、本明細書にいう「施設」とは、建物やビル等に限定されるものではなく、公園、道路、名所旧跡、景勝地などを含む広い概念である。
【実施例】
【００２６】
次に、本発明の実施例に係る投稿情報の共有システムについて図面を参照して説明する。図１は、本実施例の投稿情報の共有システムのＳＮＳ（Social Networking Service）の１つの利用態様を例示する。同図において、タレント、ブロガー、有名人、著名人、一般人等の投稿者Ｐ１、Ｐ２、Ｐ３は、自身にとって興味のある施設の画像情報などを投稿情報としてＳＮＳサーバへアップロードし、それらの投稿情報がデータベースＤＢに順次蓄積される。ここで投稿された投稿情報は、投稿者の識別情報に応じて個人用サイトに表示されたり、施設情報に応じて施設用サイトに表示される。
【００２７】
一方、ユーザーＵ１、Ｕ２、Ｕ３は、例えば、スマートフォンを介してＳＮＳサーバにアクセスし、ＳＮＳサーバ上にある投稿情報を閲覧する。好ましくは、スマートフォンには、当該ＳＮＳを利用するためのアプリケーションソフトウエアが実装され、当該アプリケーションの実行により、ＳＮＳサーバへのアクセス、個人用サイトや施設用サイトの表示、各種情報のダウンロードが実行される。好ましい態様では、ユーザーＵ１、Ｕ２、Ｕ３は、ＳＮＳサーバにユーザーアカウントの認証を行った後、ＳＮＳサーバ上にある各種サイトへのアクセスが許可される。ＳＮＳサーバにアップロードされた投稿情報は、例えば、アプリケーションの制御下において、個人用サイトや施設用サイトに掲載され、ユーザーＵ１、Ｕ２、Ｕ３は、投稿者Ｐ１、Ｐ２、Ｐ３が投稿する投稿情報を閲覧することができる。
【００２８】
図２は、本実施例の投稿情報をサーバに送信する端末装置を含む、共有システムの構成例を示す図である。本実施例の共有システム１０は、インターネット等のネットワークＮＷに、サーバ２０、３０、スマートフォン４０、５０、６０、パーソナルコンピュータ７０などが接続される。投稿者は、例えば、スマートフォン４０〜６０またはＰＣ７０を介して投稿情報をサーバ２０、３０に投稿することができる。他方、ＳＮＳのユーザーもまた、スマートフォン４０〜６０やＰＣ７０を介して投稿情報をサーバ２０、３０から取得し、各自の端末で投稿情報を表示させることができる。また、スマートフォン５０が車両に持ち込まれた場合には、スマートフォン５０は、ＵＳＢや近距離無線通信等の接続手段９０により車載機８０に接続され、車載機８０のディスプレイに投稿情報８２を表示させることができる。好ましくは、スマートフォン４０〜６０には、ＳＮＳアプリケーション５２が搭載され、ＳＮＳを利用するとき、当該アプリケーション５２が実行される。
【００２９】
図３は、実施例に係る投稿情報の共有システムの具体的な構成例を示す図である。まず初めに、本実施例では、投稿者がスマートフォンを利用して投稿情報を投稿する例について説明する。スマートフォン１００は、図３に示すように、ユーザーからの指示を受け取る入力部１１０、表示部１２０、スマートフォン１００の現在位置を取得する現在位置取得部１３０、スマートフォンの周辺をカメラで撮像する撮像部１４０、インターネット等を介してサーバ等とデータ通信を行う通信部１５０、データやプログラムなどを記憶可能な記憶部１６０、各部を制御する制御部１７０等の基本構成を含む。ここには図示しないが、スマートフォン１００は、音声を入力するマイクロフォン、音声を出力するスピーカなども搭載する。
【００３０】
現在位置取得部１３０は、公知の手段を用いてスマートフォンの現在位置を取得する。例えば、スマートフォン１００がＧＰＳ受信機を搭載している場合には、その緯度、経度の座標情報を用いたり、あるいはジャイロセンサや加速度センサなどのセンサを内蔵している場合には、それらのセンサ出力から位置情報が算出される。また、前記装置以外にも、通信部１５０を介して外部からスマートフォン１００の位置情報を取得することができる場合には、取得した位置情報を利用することができる。
【００３１】
制御部１７０は、マイクロコントローラまたは中央プロセッサ等を含み、好ましくは、予め用意されたＳＮＳアプリケーションソフトウエアまたはプログラムを実行することでＳＮＳの利用を制御する。ＳＮＳアプリケーションが実行されたとき、投稿者は、レストラン、店、ホテルなど施設に関する文章、静止画、動画などの口コミ情報を作成し、これを投稿することができる。さらに、制御部１７０は、目的地までの経路探索を行うナビゲーション機能を実行することも可能である。ナビゲーション機能が実行されるとき、記憶部１６０に格納された地図データが利用される。あるいは、記憶部１６０に地図データが格納されていない場合には、スマートフォン１００は、ネットワークを介してサーバから地図データを取得する。
【００３２】
図４は、本実施例に係るスマートフォンにより画像情報を投稿する際の概要を説明する図である。スマートフォン１００の制御部１７０によってＳＮＳアプリケーションが実行されると、投稿者は、ＳＮＳサーバ２００から施設の紹介など各種情報を得ることができ、また、当該施設に関する投稿情報をＳＮＳサーバ２００に送信することができる。
【００３３】
好ましい態様では、ＳＮＳアプリケーションの実行により、スマートフォン１００の表示部１２０には、施設を選択するためのチェックイン画面３００が表示される。例えば、制御部１７０は、現在位置取得部１３０により取得されたスマートフォンの現在位置情報をＳＮＳサーバ２００へ送信し、ＳＮＳサーバ２００は、スマートフォンの現在位置周辺に存在する施設を含むチェックイン画面３００の情報をスマートフォン２００へ送信する。あるいは、スマートフォン２００自身が、現在位置周辺に存在する施設を選択するためのチェックイン画面３００を用意するものであってもよい。
【００３４】
投稿者は、施設Ａに到着すると、スマートフォン１００に表示されたチェックイン画面３００において、該当する「施設Ａ」を選択してチェックインする。スマートフォン１００は、投稿者により選択された施設Ａの施設識別情報３０２をＳＮＳサーバ２００へ送信する。ＳＮＳサーバ２００は、受信した施設識別情報３０２に基づき施設Ａの施設情報３０３をスマートフォン１００へ送信する。施設情報３０３は、例えば、施設Ａの紹介情報や口コミ情報などを含む施設用サイト画面３０４の情報を含む。
【００３５】
スマートフォン１００の表示部１２０には、ＳＮＳサーバ２００からの施設情報３０３に基づき施設Ａの施設用サイト画面３０４が表示される。投稿者は、施設用サイト画面３０４を利用して撮像した画像情報を投稿することができる。例えば、施設用サイト画面３０４には、例えば、タッチ入力が可能な撮像ボタン３０６が表示される。撮像ボタン３０６は、撮像部１４０による撮像の指示と、当該撮像された画像に撮像情報（施設識別情報、施設名、撮像時間など）を自動的に付加して投稿情報を作成する機能とを含む。これにより、投稿者は、従来のように、マニュアル操作によって撮像した画像に関する撮像情報の入力を省略することができる。さらに好ましい態様では、ユーザー設定により自動投稿が許可されている場合、撮像ボタン３０６に、撮像情報が付加された画像を含む投稿情報を自動投稿する機能をも含めることができる。なお、図４に示す施設用サイト３０４の表示態様は、例示であって、撮像ボタン３０６の形状、配置等は、これ以外の態様であってもよい。また、撮像ボタン３０６に横には、口コミ情報など文章を入力可能なするテキストボックス３０７が配置され、投稿者は、任意で口コミ情報を記載し、これを撮像された画像に付加することも可能である。
【００３６】
スマートフォン１００から、撮像情報が自動付加された投稿情報３０８がＳＮＳサーバ２００へ送信される。ＳＮＳサーバ２００は、投稿情報３０８を受け取ると、撮像情報に含まれる施設識別情報に基づき、施設Ａの施設用サイトに投稿情報３０８をアップロードする。これにより、施設用サイトのアルバム画面３１０には、投稿情報３０８の画像が掲載され、閲覧者にとって閲覧可能な状態となる。
【００３７】
図５に、実施例に係るスマートフォンの制御部１７０の機能ブロック図を示す。制御部１７０は、現在位置取得部１３０より取得された現在位置情報をＳＮＳサーバ２００へ送信する位置情報送信部１７２と、スマートフォンの現在位置周辺にある施設を投稿者に提示する周辺施設提示手段１７４と、提示された複数の周辺施設から特定の施設を選択する施設選択手段１７６と、施設が選択されたとき、当該施設の施設情報をＳＮＳサーバから取得する施設情報取得手段１７８と、施設の選択後、撮像部１４０により撮像された画像を記憶する画像記憶手段１８０と、撮像された画像に撮像情報を付加する撮像情報付加手段１８２と、撮像情報が付加された画像に基づき投稿情報を作成する投稿情報作成手段１８４と、作成された投稿情報をＳＮＳサーバに送信する投稿情報送信手段１８６とを備えている。
【００３８】
周辺施設提示手段１７４は、現在位置取得部１３０により取得した投稿者の現在位置に基づき、近郊にある店舗、学校、ホテルなどの周辺施設を含むチェックイン画面３００を表示部１２０に提示する。好ましい例では、ＳＮＳサーバ２００は、位置情報送信部１７２からの現在位置情報に基づき周辺施設を検索し、検索結果から周辺施設を含むチェックイン画面を生成し、これをスマートフォン１００へ送信する。他の例では、スマートフォンが現在位置情報に基づき周辺施設を検索し、検索結果から周辺施設を含むチェックイン画面を生成することも可能である。
【００３９】
施設選択手段１７６は、周辺施設提示手段１７４により提示されたチェックイン画面において、ユーザーがチェックイン操作した施設を選択する。選択された施設の施設識別情報は、ＳＮＳサーバ２００へ送信される。
【００４０】
また、施設選択手段１７６は、チェックイン画面以外から施設を選択することも可能である。例えば、施設名、地域名、カテゴリーなどの検索条件をユーザー入力し、所望の施設を選択することも可能である。さらに施設選択手段１７６は、スマートフォン１００のナビゲーション機能により施設が目的地に設定されている場合に、現在位置が施設位置近傍に到達したとき、当該施設を自動的に選択してもよい。
【００４１】
施設選択手段１７６により施設が選択されると、制御部１７０は、チェックイン状態（選択状態）を継続する。チェックイン状態の解除は、投稿者によるチェックアウト操作が行われたとき、または、投稿者がチェックインした施設位置から一定距離以上離れたと判定されたときに、実行される。チェックアウトされたとき、施設選択手段１７６は、施設の選択が解除されたことをＳＮＳサーバ２００へ送信する。これにより、ＳＮＳサーバ２００は、チェックインされた施設の施設情報の送信を終了する。
【００４２】
施設情報取得手段１７８は、施設選択手段１７６により選択された施設情報をＳＮＳサーバ２００から取得する。施設情報は、少なくとも、施設名、施設ＩＤ、住所、電話番号などの施設を識別するための施設識別情報や施設用サイト画面３０４の情報を含む。但し、施設用サイト画面３０４は、必ずしもＳＮＳサーバ２００から配信されるものではなく、スマートフォン１００側で作成するものであってもよい。ＳＮＳサーバ２００から取得された施設情報の一部または全部は、撮像情報として撮像された画像に付加される。
【００４３】
画像記憶手段１８０は、撮像部１４０で撮像された画像データを施設識別情報と関連付けして記憶する。画像データは、静止画または動画のいずれであってもよく、公知の圧縮手段によりＭＰＥＧ、ＪＰＥＧなどに圧縮されてもよい。例えば、飲食店Ｒが選択されている期間中に、撮像部１４０で撮像された画像データは、飲食店Ｒの施設識別情報と関連付けして記憶部１６０に記憶される。
【００４４】
撮像情報付加手段１８２は、画像記憶手段１８０に記憶された画像データに撮像情報を自動で付加する。好ましくは、撮像情報付加手段１８２は、ＳＮＳサーバ２００から取得した施設情報、スマートフォン１００が保持する施設情報、投稿者に関する情報、撮像部１４０による撮影時間や撮像条件などの情報から、撮像情報を抽出する。どのような情報を抽出するかは予め決定することができ、また、ユーザーによって変更も可能である。好ましくは、撮像情報は、少なくとも選択された施設（チェックインされた施設）を識別するための情報を含んでいる。
【００４５】
投稿情報作成手段１８４は、撮像情報が付加された画像データに基づき投稿情報を作成する。但し、投稿情報作成手段１８４は、必須ではなく、例えば、投稿情報の自動送信が許可されていないときや、ユーザーが口コミ情報などを追加するようなオプション設定をしているときに実行されるようにしてもよい。従って、自動送信が許可されている場合等には、投稿情報の作成は不要である。さらに投稿情報には、例えば、投稿者を識別するための投稿者識別情報、写真を撮影した撮影時間情報、閲覧条件を規定する閲覧制限情報などを含ませることができる。投稿者識別情報は、投稿者名、投稿者ＩＤ、投稿者が利用する端末ＩＤなど投稿者を特定するための情報である。撮影時間情報は、スマートフォン内の時計情報が利用され、投稿者が撮影した時間が記録される。また、閲覧制限情報は、投稿者が予め設定する情報であり、例えば、投稿者名を匿名にするため公開／非公開を設定したり、特定の閲覧者からのアクセスのみを許可するために用いられる。
【００４６】
投稿情報送信手段１８６は、投稿情報作成手段１８４によって作成された投稿情報をＳＮＳサーバ２００へ送信する。投稿情報の送信は、撮像部１４０による撮像が行われたとき、すなわち、図４に示す撮像ボタン３０６が押下されたときに自動的に行われる。但し、自動投稿を禁止するユーザー設定がされている場合には、この限りではない。
【００４７】
図６は、投稿情報の一例を示す図である。投稿情報は、投稿する画像データ、チェックインした施設の施設名、写真や映像の撮像日時、投稿者名、閲覧条件などを含んで構成される。撮像情報付加手段１８２は、施設名、写真や映像の撮像日時、投稿者名、閲覧条件などを撮像情報として画像データに付加することができる。
【００４８】
図７は、本実施例に係る投稿情報の投稿動作を説明するフローチャートである。投稿者は、スマートフォン１００のアプリケーションを起動させる。この起動により、スマートフォン１００は、ＳＮＳサーバ２００との通信が可能になる。好ましくは、ＳＮＳを利用するための条件として、ユーザー認証のためのユーザーアカウント、パスワードなどのログインが求められる。
【００４９】
アプリケーションの起動、またはユーザー指示に伴い、現在位置取得部１３０は、スマートフォン１００の現在の位置情報を取得する（Ｓ１０２）。位置情報送信手段１７２は、取得した現在位置情報をＳＮＳサーバ２００へ送信する。ＳＮＳサーバ２００は、現在位置情報に基づき周辺施設等を検索し、検索結果を反映したチェックイン画面の情報をスマートフォン１００へ送信する。
【００５０】
周辺施設提示手段１７４は、ＳＮＳサーバ２００より受け取ったチェックイン画面を投稿者に提示する（Ｓ１０４）。チェックイン画面には、図４に示すような周辺施設が表示される。投稿者は、提示されたチェックイン画面において、複数の施設の中から特定の施設を選択し、チェックインする（Ｓ１０６）。施設選択手段１７６は、チェックインに応答して選択された施設を識別する施設識別情報をＳＮＳサーバ２００へ送信する。
【００５１】
投稿者のチェックイン操作に応答してＳＮＳサーバ２００から送信された施設情報に基づき、施設情報取得手段１７８は、施設用サイト画面を表示部１２０に表示する（Ｓ１０８）。施設情報には、施設名、電話番号、口コミ情報に加え、チェックインした施設の施設用サイトに関する情報が含まれる。
【００５２】
チェックイン後、施設用サイト画面の撮像ボタン３０６（図４を参照）が投稿者によって押下されたとき、撮像部１４０による写真が撮影される（Ｓ１１０）。撮像ボタン３０６の押下、または撮像部１４０による撮像に連動し、画像記憶手段１８０は、撮像された画像データを施設に関連して記憶させ、これと同時に撮像情報付加手段１８２が画像データに撮像情報を付加する（Ｓ１１２）。上記したように撮像情報付加手段１８２は、ＳＮＳサーバやスマートフォンが保持する施設情報や投稿者情報から、予め決められた撮像情報を抽出し、これを画像データに自動的に付加する。
【００５３】
次に、投稿情報送信手段１８６は、投稿情報の自動送信の許可の有無をチェックし（Ｓ１１４）、許可されている場合には、投稿情報をＳＮＳサーバ２００へ送信する（Ｓ１１６）。従って、この場合には、投稿者が撮像ボタン３０６を押下したことに応答して、撮像された画像データが自動的にＳＮＳサーバに投稿情報としてアップロードされる。他方、自動送信が許可されていない場合には、投稿者からの指示を待って（Ｓ１１８）、投稿情報がＳＮＳサーバ２００へ送信される。施設選択手段１７６は、現在位置取得部１３０からの現在位置情報に基づき施設がチェックインされた状態にあるか否か監視し、チェックイン状態が継続している間は、画像記憶手段１８０は、撮像された画像データをチェックインした施設に関連付けして記憶し、かつ撮像情報付加手段は、チェックインした施設に関する撮像情報を画像データに付加することになる。
【００５４】
このように本実施例では、スマートフォン１００は、投稿者による撮影操作に基づき、撮像情報を画像データに自動的に付加するため、投稿者は、画像データに関連する情報をマニュアル操作によって入力するといった煩雑な作業から開放されるとともに、画像データを迅速にＳＮＳサーバ２００へ投稿することができる。
【００５５】
次に、ＳＮＳサーバについて図３を参照して説明する。ＳＮＳサーバ２００は、通信部２１０、記憶部２２０および制御部２３０の基本構成を含んで構成される。通信部２１０は、ＴＣＰ／ＩＰなどの通信プロトコルにより、ＳＮＳのアプリケーションが起動されたスマートフォンやその他の機器との間で、インターネットやイントラネットを介した通信を可能にする。記憶部２２０は、投稿者から投稿された投稿情報を蓄積し、投稿情報のデータベースを構築する。制御部２３０は、マイクロコントローラまたは中央プロセッサ等を含み、好ましくは、予め用意されたアプリケーションソフトウエアまたはプログラムを実行することでＳＮＳや通信等を制御する。
【００５６】
図８に、ＳＮＳサーバの制御部２３０の機能ブロック図を示す。制御部２３０は、スマートフォン１００に対してチェックイン画面の情報を提供するチェックイン画面提供手段２３２、チェックインされた施設に関する施設情報を提供する施設情報提供手段２３４、受信した投稿情報のデータベースを構成するデータベース構成手段２３６、投稿された投稿情報に基づき、個人用サイトや施設用サイトを管理するサイト管理手段２３８を備えている。
【００５７】
データベース構築手段２３６は、投稿者から投稿情報を受信すると、それを記憶部２２０に逐次蓄積し、投稿情報のデータベースを構築する。図９は、ＳＮＳサーバ２００の記憶部２２０に蓄積された投稿情報のデータベースの一例である。データベースには、種々の投稿者Ｐ１〜Ｐｎからの投稿情報が登録される。それぞれの投稿情報は、投稿者ＩＤ、投稿日時、投稿内容、施設名、閲覧制限などを含む。サイト管理手段２３８は、図９に示すようなデータベースを参照して、個人用サイトや施設用サイトなどを更新することができる。例えば、投稿内容が画像データＡであった場合、施設Ａが関連付けされており、サイト管理手段２３８は、施設Ａに対応する施設用サイトのアルバムに画像情報Ａを掲載して閲覧可能な状態にする。また、画像データＢについても同様にアルバムに掲載するが、そのとき、閲覧制限に関する情報に基づき、投稿者Ｐ１の名前は匿名とする。このように、ＳＮＳサーバ２００では、取得した投稿情報に基づき、各サイトを自動的に更新することができる。
【００５８】
次に、本発明の他の実施例について説明する。上記実施例では、スマートフォンによる投稿の例を説明したが、本実施例は、車載機または車両に搭載されたスマートフォンから、施設として道路（例えば、有料道路、観光名所の道路など）を選択し、当該道路の投稿情報を投稿する例を説明する。車載機またはスマートフォンは、自車位置周辺の施設を含むチェックイン画面を表示する。ここで、有料道路または観光道路を構成するリンクの始点または終点が施設のチェックインまたはチェックアウトのための情報に利用される。このため、自車位置周辺にリンクの始点が存在する場合には、当該リンクが施設としてチェックイン画面に表示される。
【００５９】
投稿者が、チェックインする施設として道路を選択した場合には、施設選択手段１７６が施設識別情報をＳＮＳサーバ２００に送信し、車載機またはスマートフォンには、道路の施設用サイト画面が表示される。当該道路を走行中に撮像された画像データに、少なくとも当該道路を識別する情報を含む撮像情報が自動的に付加され、この投稿情報がＳＮＳサーバに投稿される。
【００６０】
また、施設選択手段１７６は、自車位置が、当該道路の終点から一定距離を離れたとき、道路をチェックアウトしたと判定し、施設の選択が終了した旨をＳＮＳサーバ２００へ送信する。これにより、ＳＮＳサーバ２００から車載機またはスマートフォンへの施設情報の提供が終了する。
【００６１】
このように本実施例によれば、道路のような一定のエリアを有する施設を選択した場合にも、その間、撮像した画像データに撮像情報を付加して投稿情報の投稿を連続的に行うことが可能になる。
【００６２】
なお、上記実施例では、撮像部１４０による撮像操作として、施設用サイト画面内の撮像ボタンを押下する例を示したが、これは一例であり、撮像を指示する手段はどのようなものであってもよく、特に限定されるものではない。例えば、撮像部１４０の撮像操作は、機器本体に専用に取付けられた撮像スイッチまたは撮像ボタンであってもよいし、施設用サイト画面と異なる画面に表示された撮像ボタンを押下するものであってもよい。あるいは、投稿者からの音声入力によって撮像を指示するものであってもよい。
【００６３】
本発明の好ましい実施の形態について詳述したが、本発明は、特定の実施形態に限定されるものではなく、特許請求の範囲に記載された発明の要旨の範囲において、種々の変形・変更が可能である。
【符号の説明】
【００６４】
１００：スマートフォン                      １１０：入力部
１２０：表示部                              １３０：現在位置取得部
１４０：撮像部                              １５０：通信部
１６０：記憶部                              １７２：位置情報送信手段
１７４：周辺施設提示手段                    １７６：施設選択手段
１７８：施設情報取得手段                    １８０：画像記憶手段
１８２：撮像情報付加手段                    １８４：投稿情報作成手段
１８６：投稿情報送信手段                    ２００：ＳＮＳサーバ
２１０：通信部                              ２２０：記憶部
２３０：制御部                              ２３２：チェックイン画面提供手段
２３４：施設情報提供手段                    ２３６：データベース構築手段
２３８：サイト管理手段
【図１】
2015018421.tif 000003
【図２】
2015018421.tif 000004
【図３】
2015018421.tif 000005
【図４】
2015018421.tif 000006
【図５】
2015018421.tif 000007
【図６】
2015018421.tif 000008
【図７】
2015018421.tif 000009
【図８】
2015018421.tif 000010
【図９】
2015018421.tif 000011
【図１０】
2015018421.tif 000012